(57)【要約】【課題】再生可能な回数の制限があるコンテンツを、利用権限のない利用者により削除されることから保護できるようにする。【解決手段】再生回数確認部１０５は、再生回数計数部１０４が計数した再生回数が、対象となるコンテンツと共に記憶部１０２に記憶されている再生制限情報の再生可能回数以下であることを検出する。利用者情報確認部１０６は、利用者情報記憶媒体１０１に記憶された利用者情報と再生許可利用者情報との不一致を検出する。削除制限部１０７は、再生回数確認部１０５により再生回数が再生制限情報の再生可能回数以下であることが検出され、利用者情報確認部１０６により利用者情報と再生許可利用者情報との不一致が検出されている間は、コンテンツの削除を不能とする。【選択図】  図１
2014132769.tif 000002
【特許請求の範囲】
【請求項１】
ネットワークに接続可能な携帯端末装置において、
利用者情報が記憶されて自装置に着脱可能とされた利用者情報記憶媒体と、
コンテンツが、このコンテンツの再生可能回数を示す再生制限情報および前記コンテンツの再生許可対象の利用者の情報を示す再生許可利用者情報と共に記憶された記憶手段と、
前記コンテンツを再生する再生手段と、
この再生手段により前記コンテンツが再生された回数を計数する再生回数計数手段と、
この再生回数計数手段が計数した再生回数が前記再生制限情報の再生可能回数以下であることを検出する再生回数確認手段と、
前記利用者情報記憶媒体に記憶された前記利用者情報と前記再生許可利用者情報との不一致を検出する利用者情報確認手段と、
前記再生回数確認手段により前記再生回数が前記再生制限情報の再生可能回数以下であることが検出され、前記利用者情報確認手段により前記利用者情報と前記再生許可利用者情報との不一致が検出されている間は、前記コンテンツの削除を不能とする削除制限手段と
を少なくとも備えることを特徴とする携帯端末装置。
【請求項２】
請求項１記載の携帯端末装置において、
前記コンテンツは、前記再生制限情報および前記再生許可利用者情報に加えて有効期限情報と共に前記記憶手段に記憶され、
現在日時と前記有効期限情報とを比較する有効期限確認手段を備え、
前記削除制限手段は、前記再生回数確認手段により前記再生回数が前記再生制限情報の再生可能回数以下であることが検出され、前記利用者情報確認手段により前記利用者情報と前記再生許可利用者情報との不一致が検出され、前記有効期限確認手段により現在日時が前記有効期限内であることが確認されている間は、前記コンテンツの削除を不能とする
ことを特徴とする携帯端末装置。
【請求項３】
ネットワークに接続可能な携帯端末装置のコンテンツ制御方法おいて、
利用者情報が記憶されて自装置に着脱可能とされた利用者情報記憶媒体と、
コンテンツを、このコンテンツの再生可能回数を示す再生制限情報および前記コンテンツの再生許可対象の利用者の情報を示す再生許可利用者情報と共に記憶する記憶ステップと、
前記コンテンツが再生された回数を計数する再生回数計数ステップと、
再生回数計数ステップで計数された再生回数が再生制限情報の再生可能回数以下であることを検出する再生回数確認ステップと、
自装置に装着された利用者情報記憶媒体に記憶された利用者情報と前記再生許可利用者情報との不一致を検出する利用者情報確認ステップと、
前記再生回数確認ステップで前記再生回数が前記再生制限情報の再生可能回数以下であることが検出され、前記利用者情報確認ステップで前記利用者情報と前記再生許可利用者情報との不一致が検出されている間は、前記コンテンツの削除を不能とする削除制限ステップと
を少なくとも備えることを特徴とするコンテンツ制御方法。
【請求項４】
請求項３記載のコンテンツ制御方法において、
前記コンテンツは、前記再生制限情報および前記再生許可利用者情報に加えて有効期限情報と共に記憶され、
現在日時と前記有効期限情報とを比較する有効期限確認ステップを備え、
前記削除制限ステップでは、前記再生回数が前記再生制限情報の再生可能回数以下であることが検出され、前記利用者情報と前記再生許可利用者情報との不一致が検出され、前記有効期限確認ステップで現在日時が前記有効期限内であることが確認されている間は、前記コンテンツの削除を不能とする
ことを特徴とするコンテンツ制御方法。
【発明の詳細な説明】
【技術分野】
【０００１】
本発明は、記憶部に記憶したコンテンツを再生する携帯端末装置およびコンテンツ制御方法に関するものである。
【背景技術】
【０００２】
最近の携帯電話機においては、メモリ（記憶部）に保存した音楽や動画のコンテンツを再生できるものが増えている。このような携帯電話機などの携帯端末装置で再生可能なコンテンツの中には、著作権保護の観点から、コンテンツを入手した利用者の携帯端末装置のみでコンテンツが再生できるように制限されたものもある。この制限の技術として、例えば、デジタル著作権管理（DRM：Digital Rights Management）がある。
【０００３】
このＤＲＭは、コンテンツを入手した利用者の携帯端末装置に組み込まれているＵＳＩＭ（Universal Subscriber Identity Module）の情報をキーにしてコンテンツを暗号化し、当該ＵＳＩＭが組み込まれている（装着されている）携帯端末装置以外のコンテンツ再生を制限している。例えば、同じ携帯端末装置であっても、暗号化に用いられたＵＳＩＭとは異なるＵＳＩＭが装着されていると、コンテンツの再生が制限される（特許文献１参照）。また、これらの技術の中には、コンテンツに対して再生の有効期限や再生可能な回数に制限が設定され、有効期限が過ぎ、また、再生可能な回数を超えると、コンテンツの再生を不能とする機能もある。
【先行技術文献】
【特許文献】
【０００４】
【特許文献１】特開２００７−１８１１０８号公報
【特許文献２】特開２００７−２５２０００号公報
【特許文献３】特開２００９−０４９４８４号公報
【発明の概要】
【発明が解決しようとする課題】
【０００５】
ところで、暗号化に用いられたＵＳＩＭとは異なるＵＳＩＭが装着されている状態において、コンテンツの再生は制限されるが、メモリからコンテンツを削除することは可能とされている。例えば、異なるＵＳＩＭの装着により、自動的にコンテンツを削除する機能も提案されている（特許文献２参照）。
【０００６】
このため、当該コンテンツを再生して視聴する権利のある利用者の意識とは異なって、コンテンツが削除される場合がある。例えば、ＵＳＩＭ１を装着した携帯電話機で、利用者１が、再生可能な回数制限のあるコンテンツをダウンロードして視聴可能としている場合を例にする。この場合、上記コンテンツは、ＵＳＩＭ１の情報をキーにして暗号化されており、ＵＳＩＭ１が装着されている携帯電話機のみで、設定されている再生可能回数まで再生可能となる。
【０００７】
このようなコンテンツが記憶されている携帯電話機を、利用者１がＵＳＩＭ１を取り外し、利用者２がＵＳＩＭ２を装着して使用するときに、誤って上記コンテンツを削除することが考えられる。このようにコンテンツが削除されると、利用者１がＵＳＩＭ１を装着しても、この携帯電話機では、再生可能な回数がまだ残っている上記コンテンツを再生することが不可能となる。
【０００８】
ここで、コンテンツの再生有効期限内であれば、削除を制限する技術が提案されている（特許文献３参照）。しかしながら、この技術でも、再生可能な回数の制限があるコンテンツに対しては、削除を制限することができない。
【０００９】
本発明は、以上のような問題点を解消するためになされたものであり、再生可能な回数の制限があるコンテンツを、利用権限のない利用者により削除されることから保護できるようにすることを目的とする。
【課題を解決するための手段】
【００１０】
本発明に係る携帯端末装置は、ネットワークに接続可能な携帯端末装置であり、利用者情報が記憶されて自装置に着脱可能とされた利用者情報記憶媒体と、コンテンツが、このコンテンツの再生可能回数を示す再生制限情報およびコンテンツの再生許可対象の利用者の情報を示す再生許可利用者情報と共に記憶された記憶手段と、コンテンツを再生する再生手段と、この再生手段によりコンテンツが再生された回数を計数する再生回数計数手段と、この再生回数計数手段が計数した再生回数が再生制限情報の再生可能回数以下であることを検出する再生回数確認手段と、利用者情報記憶媒体に記憶された利用者情報と再生許可利用者情報との不一致を検出する利用者情報確認手段と、再生回数確認手段により再生回数が再生制限情報の再生可能回数以下であることが検出され、利用者情報確認手段により利用者情報と再生許可利用者情報との不一致が検出されている間は、コンテンツの削除を不能とする削除制限手段とを少なくとも備える。
【００１１】
また、本発明に係るコンテンツ制御方法は、ネットワークに接続可能な携帯端末装置のコンテンツ制御方法であり、利用者情報が記憶されて自装置に着脱可能とされた利用者情報記憶媒体と、コンテンツを、このコンテンツの再生可能回数を示す再生制限情報および前記コンテンツの再生許可対象の利用者の情報を示す再生許可利用者情報と共に記憶する記憶ステップと、前記コンテンツが再生された回数を計数する再生回数計数ステップと、再生回数計数ステップで計数された再生回数が再生制限情報の再生可能回数以下であることを検出する再生回数確認ステップと、自装置に装着された利用者情報記憶媒体に記憶された利用者情報と前記再生許可利用者情報との不一致を検出する利用者情報確認ステップと、前記再生回数確認ステップで前記再生回数が前記再生制限情報の再生可能回数以下であることが検出され、前記利用者情報確認ステップで前記利用者情報と前記再生許可利用者情報との不一致が検出されている間は、前記コンテンツの削除を不能とする削除制限ステップとを少なくとも備える。
【発明の効果】
【００１２】
以上説明したように、本発明によれば、再生回数が再生制限情報の再生可能回数以下であり、利用者情報と再生許可利用者情報とが不一致な場合は、コンテンツの削除を不能とするようにしたので、再生可能な回数の制限があるコンテンツを、利用権限のない利用者により削除されることから保護できるようになるという優れた効果が得られる。
【図面の簡単な説明】
【００１３】
【図１】本発明の実施の形態１における携帯端末装置の構成例を示す構成図である。
【図２】携帯端末装置１００の動作例（コンテンツ制御方法）について説明するフローチャートである。
【図３】本発明の実施の形態２における携帯端末装置（携帯電話機３００）の構成例を示す構成図である。
【図４】管理情報格納部３２２の構成を示す構成図である。
【図５】携帯電話機３００の動作例（コンテンツ制御方法）について説明するフローチャートである。
【発明を実施するための形態】
【００１４】
以下、本発明の実施の形態について図を参照して説明する。
【００１５】
［実施の形態１］
はじめに、本発明の実施の形態１について説明する。図１は、本発明の実施の形態における携帯端末装置１００の構成を示す構成図である。携帯端末装置１００は、利用者情報記憶媒体１０１，記憶部１０２，再生部１０３，再生回数計数部１０４，再生回数確認部１０５，利用者情報確認部１０６，削除制限部１０７，送受信部１０８，およびアンテナ１０９を備えている。
【００１６】
利用者情報記憶媒体１０１は、利用者情報が記憶されて携帯端末装置１００に着脱可能とされている。記憶部１０２は、コンテンツを、このコンテンツの再生可能回数を示す再生制限情報と共に記憶している。コンテンツは、例えば、送受信部１０８およびアンテナ１０９を介した無線通信により接続したネットワーク上のコンテンツサービスサーバより取得したものである。再生部１０３は、記憶部１０２に記憶されているコンテンツを再生する。再生回数計数部１０４は、再生部１０３によりコンテンツが再生された回数を計数する。
【００１７】
再生回数確認部１０５は、再生回数計数部１０４が計数した再生回数が、対象となるコンテンツと共に記憶部１０２に記憶されている再生制限情報の再生可能回数以下であることを検出する。利用者情報確認部１０６は、利用者情報記憶媒体１０１に記憶された利用者情報と再生許可利用者情報との不一致を検出する。削除制限部１０７は、再生回数確認部１０５により再生回数が再生制限情報の再生可能回数以下であることが検出され、利用者情報確認部１０６により利用者情報と再生許可利用者情報との不一致が検出されている間は、コンテンツの削除を不能とする。
【００１８】
次に、携帯端末装置１００の動作例（コンテンツ制御方法）について図２のフローチャートを用いて説明する。
【００１９】
まず、利用者の操作により記憶部１０２に記憶されているコンテンツが再生部１０３により再生されると（ステップＳ２０１のＹ）、再生回数計数部１０４が再生回数を計数する（ステップＳ２０２０）。この後、利用者の操作によるコンテンツの削除指示が入力されると（ステップＳ２０３のＹ）、再生回数確認部１０５が、再生回数計数部１０４により計数された再生回数を確認する（ステップＳ２０４）。この確認で、計数されている再生回数が、削除対象のコンテンツに対応して記憶部１０２に記憶されている再生可能回数を超えていることが確認されると（ステップＳ２０５のＮ）、携帯端末装置１００は、入力された削除指示により該当するコンテンツを削除する（ステップＳ２０８）。
【００２０】
一方、再生回数確認部１０５により、計数されている再生回数が再生可能回数以下であることが確認されると（ステップＳ２０５のＹ）、利用者情報確認部１０６が、利用者情報記憶媒体１０１に記憶された利用者情報と再生許可利用者情報とが一致していることを確認する（ステップＳ２０６）。ここで一致が確認されると、削除制限部１０７が、削除指示の対象となるコンテンツの削除を不能とする（ステップＳ２０７）。この場合、利用者により入力された削除指示は、実行されない。また、携帯端末装置１００の図示しない表示部に、対象となるコンテンツの削除が不能である旨の表示がされる。
【００２１】
以上に説明したように、本実施の形態によれば、再生回数が再生制限情報の再生可能回数以下であり、利用者情報と再生許可利用者情報とが不一致である場合は、該当するコンテンツの削除が不能とされる。この結果、再生可能な回数の制限があるコンテンツを、利用権限のない利用者により削除されることから保護できるようになる。
【００２２】
［実施の形態２］
次に、本発明の実施の形態２について説明する。図３は、実施の形態２における携帯電話機（携帯端末装置）３００の構成を示す構成図である。携帯電話機３００は、利用者情報記憶媒体３０１，記憶部３０２，制御部３０３，時計管理部３０４，表示部３０５，入力部３０６，送受信部３０７，およびアンテナ３０８を備えている。
【００２３】
記憶部３０２は、コンテンツ格納部３２１および管理情報格納部３２２を備えている。また、制御部３０３は、再生機能３３１，ＵＳＩＭ確認機能３３２，有効期限確認機能３３３，再生回数計数機能３３４，再生回数確認機能３３５，および削除制限機能３３６を備えている。
【００２４】
利用者情報記憶媒体３０１は、利用者情報が記憶されて携帯電話機３００に着脱可能とされている。利用者情報記憶媒体３０１は、例えば、ＵＳＩＭ（Universal Subscriber Identity Module）として３ＧＰＰ（3rd Generation Partnership Project）で規定されているＩＣカードであり、一般的な携帯電話機に用いられ、電話番号などの使用者の個人情報が格納されている。
【００２５】
コンテンツ格納部３２１は、コンテンツを記憶（格納）している。コンテンツは、例えば、送受信部３０７およびアンテナ３０８を介した無線通信により接続したネットワーク上のコンテンツサービスサーバより取得したものである。管理情報格納部３２２は、コンテンツ格納部３２１に記憶されている各コンテンツに対応し、コンテンツの再生可能回数を示す再生制限情報を管理情報（再生制限情報）として記憶している（図４参照）。また、管理情報格納部３２２には、コンテンツの使用期限（有効期限）の情報、ＵＳＩＭでの再生制限に関する情報などの管理情報も、コンテンツに対応して記憶されている（図４参照）。
【００２６】
例えば、図４に示すように、管理情報格納部３２２には、コンテンツ格納部３２１に記憶されているコンテンツのファイル名に、ＵＳＩＭ情報、有効期限、再生可能回数が対応づけられて記憶されている。コンテンツによっては、有効期限が設定されていないが、再生可能回数が設定されているものもあり、一方、有効期限が設定されているが、再生可能回数が設定されていないものもある。
【００２７】
制御部３０３は、再生機能３３１により、コンテンツ格納部３２１に記憶されているコンテンツを再生する。制御部３０３は、管理情報格納部３２２に記憶されているＵＳＩＭ情報、有効期限、および再生可能回数などの管理情報を用い、再生機能３３１によりコンテンツを再生する。
【００２８】
例えば、管理情報としてＵＳＩＭ情報が記憶されているコンテンツについては、このＵＳＩＭ情報をキーとしてコンテンツを復号して再生する。この再生に必要なＵＳＩＭ情報は、ＵＳＩＭ確認機能３３２が、利用者情報記憶媒体３０１より取得する。ＵＳＩＭ確認機能３３２は、利用者情報記憶媒体３０１のＵＳＩＭ情報（利用者情報）と、管理情報として登録（記憶）されているＵＳＩＭ情報（再生許可利用者情報）との一致・不一致を確認する。また、ＵＳＩＭ確認機能３３２は、一致したＵＳＩＭ情報を、利用者情報記憶媒体３０１より取り出す。このようにして取り出されたＵＳＩＭ情報を用いることで、再生機能３３１は、該当するコンテンツを再生する。これに対し、管理情報に一致するＵＳＩＭ情報が利用者情報記憶媒体３０１にない場合、コンテンツを復号するためのキーがない状態となり、コンテンツは再生されない。
【００２９】
また、管理情報として有効期限が記憶指されているコンテンツについては、有効期限確認機能３３３が、時計管理部３０４より現在日時の情報を取得し、これを記憶されている有効期限と比較する。この比較で、現在日時が有効期限を過ぎていなければ、当該コンテンツは再生され、現在日時が有効期限を過ぎていれば、当該コンテンツは再生されない。
【００３０】
また、管理情報として再生可能回数が記憶されているコンテンツについては、再生回数計数機能３３４が計数した再生回数が再生可能回数以下であることを再生回数確認機能３３５により検出されていると、再生機能３３１が再生する。この場合、再生回数が再生可能回数を超えていると、再生回数確認機能３３５による上述した検出がされないので、当該コンテンツの再生は行われないことになる。
【００３１】
削除制限機能３３６は、再生回数確認機能３３５により再生回数が再生制限情報の再生可能回数以下であることが検出され、ＵＳＩＭ確認機能３３２により現在装着されている利用者情報記憶媒体３０１に一致するＵＳＩＭ情報が確認されていない場合、コンテンツの削除を不能とする。また、削除制限機能３３６は、現状の再生回数が再生制限情報の再生可能回数以下であり、一致するＵＳＩＭ情報が確認されていない状態に加え、有効期限確認機能３３３により、現在日時が有効期限を過ぎていないことが検出されている場合、該当するコンテンツの削除を不能とする。
【００３２】
次に、携帯電話機３００の動作例（コンテンツ制御方法）について、図５のフローチャートを用いて説明する。
【００３３】
まず、利用者の操作によりコンテンツ格納部３２１に記憶されているコンテンツが制御部３０３の再生機能３３１により再生されると（ステップＳ５０１のＹ）、再生回数計数機能３３４が再生回数を計数する（ステップＳ５０２０）。この後、利用者の操作により、入力部３０６よりコンテンツの削除指示が入力されると（ステップＳ５０３のＹ）、まず、ステップＳ５０４で、ＵＳＩＭ確認機能３３２が、利用者情報記憶媒体３０１のＵＳＩＭ情報（利用者情報）と、管理情報格納部３２２に記憶されているＵＳＩＭ情報（再生許可利用者情報）との一致・不一致を確認する。
【００３４】
この確認で、一致した場合（ステップＳ５０４のＹ）、制御部３０３は、入力された削除指示を受け付けて実行し、対象となるコンテンツのファイルを削除する（ステップＳ５０５）。
【００３５】
一方、上記確認で一致しない場合（ステップＳ５０４のＮ）、制御部３０３では、再生回数確認機能３３５が、再生回数計数機能３３４により計数されている再生回数を確認する（ステップＳ５０６）。ここで、計数されている再生回数が、削除対象のコンテンツに対応して記憶部１０２に記憶されている再生可能回数を超えていることが確認されると（ステップＳ５０６のＮ）、制御部３０３は、入力された削除指示を受け付けて実行し、該当するコンテンツを削除する（ステップＳ５０５）。
【００３６】
次に、再生回数確認機能３３５により、計数されている再生回数が再生可能回数以下であることが確認されると（ステップＳ５０６のＹ）、有効期限確認機能３３３が、時計管理部３０４より現在日時の情報を取得し、これを記憶されている有効期限と比較する（ステップＳ５０７）。ここで、現在日時が有効期限を過ぎていることが確認されると（ステップＳ５０７のＮ）、制御部３０３は、入力された削除指示を受け付けて実行し、該当するコンテンツを削除する（ステップＳ５０５）。
【００３７】
これに対し、現在日時が有効期限内であることが確認されると（ステップＳ５０７のＹ）、制御部３０３の削除制限機能３３６が、削除指示の対象となるコンテンツの削除を不能とする（ステップＳ５０８）。この場合、利用者により入力された削除指示は、実行されない。次に、制御部３０３は、表示部３０５に、対象となるコンテンツの削除が不能である旨のメッセージを表示する。
【００３８】
以上に説明したように、本実施の形態によれば、利用者情報と再生許可利用者情報とが不一致であり、再生回数が再生制限情報の再生可能回数以下であり、加えて、有効期限内である場合は、該当するコンテンツの削除が不能とされる。この結果、再生可能な回数の制限および有効期限があるコンテンツを、利用権限のない利用者により削除されることから保護できるようになる。
【００３９】
なお、携帯端末装置（携帯電話機）は、ＣＰＵと主記憶装置と外部記憶装置とネットワーク接続装置となどを備えたコンピュータ機器であり、主記憶装置に展開されたプログラムによりＣＰＵが動作することで、上述した各機能が実現される。
【００４０】
ところで、本発明は、以上に説明した実施の形態に限定されるものではなく、本発明の技術的思想内で、当分野において通常の知識を有する者により、多くの変形が実施可能であることは明白である。例えば、上述では、１つのコンテンツへの削除要求について述べているが、これに限るものではない。例えば、上述した処理の繰り返しにより、複数のコンテンツへの一括削除要求へも適用できる。この場合、個々のコンテンツに対するメッセージ出力処理は不要になる。また、一括削除要求の場合は、まとめて処理を行えるので、本発明の効果をより上げることができる。
【符号の説明】
【００４１】
１００…携帯端末装置、１０１…利用者情報記憶媒体、１０２…記憶部、１０３…再生部、１０４…再生回数計数部、１０６…利用者情報確認部、１０７…削除制限部、１０８…送受信部、１０９…アンテナ。
【図１】
2014132769.tif 000003
【図２】
2014132769.tif 000004
【図３】
2014132769.tif 000005
【図４】
2014132769.tif 000006
【図５】
2014132769.tif 000007